(57)【要約】【課題】乗客コンベアの移動手すりを傷つけることなく効率的に運搬することができる移動手すり運搬治具および移動手すり運搬方法を提供する。【解決手段】乗客コンベア１の移動手すり３を運搬するための移動手すり運搬治具２は、乗客コンベア１の左右のガイドレール４に上方より接触可能なわたし棒２１と、巻き掛けられた移動手すり３を回転可能に案内する巻き掛け具２２と、わたし棒２１の軸心と巻き掛け具２２の各部との距離が変わらないように、わたし棒２１と巻き掛け具２２とを固定する固定具２３と、を備える。【選択図】図２
2020186093.tif 000002
【特許請求の範囲】
【請求項１】
乗客コンベアの移動手すりを運搬するための移動手すり運搬治具であって、
前記乗客コンベアの左右のガイドレールに上方より接触可能なわたし棒と、
巻き掛けられた前記移動手すりを回転可能に案内する巻き掛け具と、
前記わたし棒の軸心と前記巻き掛け具の各部との距離が変わらないように、前記わたし棒と前記巻き掛け具とを固定する固定具と、
を備えることを特徴とする移動手すり運搬治具。
【請求項２】
前記巻き掛け具は、巻き掛けられた前記移動手すりを円弧状に案内するように配置された複数の回転ローラを備えること、
を特徴とする請求項１に記載の移動手すり運搬治具。
【請求項３】
前記複数の回転ローラは、前記巻き掛け具に巻き掛けられた前記移動手すりの形状の曲率が、前記乗客コンベアの前記ガイドレールの折り返し部の曲率以下となるように配置されていること、
を特徴とする請求項２に記載の移動手すり運搬治具。
【請求項４】
前記回転ローラの幅は、断面がＣ字形状の前記移動手すりの開口部へ挿入可能に構成され、
前記回転ローラの両側面は、前記移動手すりの横方向の移動を制限すること、
を特徴とする請求項２又は３に記載の移動手すり運搬治具。
【請求項５】
前記巻き掛け具は、前記固定具を取り付ける位置を変更可能に構成され、
前記巻き掛け具に前記固定具を取り付ける位置を変更することで、前記わたし棒と前記巻き掛け具との相対位置を変更可能であること、
を特徴とする請求項１乃至４のいずれか１項に記載の移動手すり運搬治具。
【請求項６】
前記わたし棒は、両端部に保護部材を備えること、
を特徴とする請求項１乃至５のいずれか１項に記載の移動手すり運搬治具。
【請求項７】
前記固定具と前記わたし棒とは着脱可能であること、
を特徴とする請求項１乃至６のいずれか１項に記載の移動手すり運搬治具。
【請求項８】
前記わたし棒は、前記ガイドレール上を回転摺動すること、
を特徴とする請求項１乃至７のいずれか１項に記載の移動手すり運搬治具。
【請求項９】
前記わたし棒は、ロープに繋がれており、前記ロープは、前記乗客コンベアの乗降口に設置される牽引装置により牽引されること、
を特徴とする請求項１乃至８のいずれか１項に記載の移動手すり運搬治具。
【請求項１０】
乗客コンベアの左右のガイドレールに上部より接触可能なわたし棒と、巻き掛けられた新しい移動手すりを回転可能に案内する巻き掛け具と、前記わたし棒の軸心と前記巻き掛け具の各部との距離が変わらないように前記わたし棒と前記巻き掛け具とを固定する固定具と、を備える移動手すり運搬治具を用いた移動手すり運搬方法であって、
既設の移動手すりを取り外し、前記ガイドレールを露出させる既設移動手すり取外工程と、
前記乗客コンベアの乗降口に牽引装置を設置する牽引装置設置工程と、
前記新しい移動手すりを前記巻き掛け具に巻き掛ける新移動手すり取付工程と、
前記新しい移動手すりを巻き掛けた前記移動手すり運搬治具を前記ガイドレールに取り付ける治具取付工程と、
前記牽引装置と前記移動手すり運搬治具とをロープで接続する接続工程と、
前記牽引装置により前記移動手すり運搬治具を牽引する牽引工程と、
を備えることを特徴とする移動手すり運搬方法。
【請求項１１】
前記巻き掛け具は、巻き掛けられた前記新しい移動手すりを円弧状に案内するように配置された複数の回転ローラを備えること、
を特徴とする請求項１０に記載の移動手すり運搬方法。
【請求項１２】
前記複数の回転ローラは、前記巻き掛け具に巻き掛けられた前記新しい移動手すりの形状の曲率が、前記乗客コンベアの前記ガイドレールの折り返し部の曲率以下となるように配置されていること、
を特徴とする請求項１１に記載の移動手すり運搬方法。
【請求項１３】
前記回転ローラの幅は、断面がＣ字形状の前記新しい移動手すりの開口部へ挿入可能に構成され、
前記回転ローラの両側面は、前記新しい移動手すりの横方向の移動を制限すること、
を特徴とする請求項１１又は１２に記載の移動手すり運搬方法。
【請求項１４】
前記巻き掛け具は、前記固定具を取り付ける位置を変更可能に構成され、
前記巻き掛け具に前記固定具を取り付ける位置を変更することで、前記わたし棒と前記巻き掛け具との相対位置を変更可能であること、
を特徴とする請求項１０乃至１３のいずれか１項に記載の移動手すり運搬方法。
【発明の詳細な説明】
【技術分野】
【０００１】
この発明は、乗客コンベアの移動手すり運搬治具および移動手すり運搬方法に関する。
【背景技術】
【０００２】
特許文献１は、乗客コンベアの保守装置を開示する。当該乗客コンベアの保守装置は、エスカレーターの移動手すりの上に仮設された揚重機を有する台車と、エスカレーターの上階に固定された牽引機とを備える。これによれば、揚重機により引き上げられた部材を牽引機により台車ごと上階まで運搬することができる。
【先行技術文献】
【特許文献】
【０００３】
【特許文献１】特開昭５５−１０１５８０号公報
【発明の概要】
【発明が解決しようとする課題】
【０００４】
ところで、エスカレーターの改修作業の１つとして移動手すりの交換がある。この改修作業は上階側で行われる。そのため、新しい移動手すりを上階まで運搬する必要がある。エスカレーター以外に運搬経路が無い場合、長く重い移動手すりを上階まで運搬する作業は容易ではない。特に高揚程のエスカレーターの改修作業では問題である。
【０００５】
この問題に対して、上述した特許文献１の乗客コンベアの保守装置を用いることを検討する。この場合、揚重機のフックに新しい移動手すりを引っ掛けて上階まで牽引することが考えられる。しかしながら、このように牽引すれば、新しい移動手すりが引き摺られたり、キンクしたりし、新しい移動手すりに傷をつけてしまうおそれがある。
【０００６】
この発明は、上述の課題を解決するためになされた。この発明の目的は、乗客コンベアの移動手すりを傷つけることなく効率的に運搬することができる移動手すり運搬治具および移動手すり運搬方法を提供することである。
【課題を解決するための手段】
【０００７】
上記目的の達成のため、この発明に係る乗客コンベアの移動手すりを運搬するための移動手すり運搬治具は、前記乗客コンベアの左右のガイドレールに上方より接触可能なわたし棒と、巻き掛けられた前記移動手すりを回転可能に案内する巻き掛け具と、前記わたし棒の軸心と前記巻き掛け具の各部との距離が変わらないように、前記わたし棒と前記巻き掛け具とを固定する固定具と、を備える。
【０００８】
また、上記目的の達成のため、上述した移動手すり運搬治具を用いた移動手すり運搬方法は、既設の移動手すりを外し、前記ガイドレールを露出させる既設移動手すり取外工程と、前記乗客コンベアの乗降口に牽引装置を設置する牽引装置設置工程と、前記新しい移動手すりを前記巻き掛け具に巻き掛ける新移動手すり取付工程と、前記新しい移動手すりを巻き掛けた前記移動手すり運搬治具を前記ガイドレールに取り付ける治具取付工程と、前記牽引装置と前記移動手すり運搬治具とをロープで接続する接続工程と、前記牽引装置により前記移動手すり運搬治具を牽引する牽引工程と、を備える。
【発明の効果】
【０００９】
これらの発明によれば、乗客コンベアの移動手すりを傷つけることなく効率的に運搬することができる。
【図面の簡単な説明】
【００１０】
【図１】この発明の実施の形態１における移動手すり運搬治具の使用状態を説明するための図である。
【図２】この発明の実施の形態１における移動手すり運搬治具の側面図である。
【図３】この発明の実施の形態１における移動手すり運搬治具の正面図である。
【図４】この発明の実施の形態１における移動手すり運搬治具の回転ローラに巻き掛けられた移動手すりの接触状態を説明するための図である。
【図５】この発明の実施の形態２における移動手すり運搬治具の使用状態を説明するための図である。
【図６】この発明の実施の形態２における移動手すり運搬治具の側面図である。
【図７】この発明の実施の形態２における移動手すり運搬治具の正面図である。
【発明を実施するための形態】
【００１１】
この発明を実施するための形態について添付の図面に従って説明する。なお、各図中、同一または相当する部分には同一の符号が付される。当該部分の重複説明は適宜に簡略化ないし省略される。
【００１２】
実施の形態１．
まず、図１を参照して、この発明の実施の形態１における移動用手すり運搬治具の使用状態について説明する。
【００１３】
乗客コンベア１は、エスカレーターである。乗客コンベア１は、動く歩道等であってもよい。
【００１４】
移動手すり運搬治具２は、乗客コンベア１の既設の移動手すりが取り外されたガイドレール４に新しい移動手すり３を取り付ける移動手すり取付作業に先立って、乗客コンベア１の下階から上階へ新しい移動手すり２を運搬する移動手すり運搬作業において用いられる。新しい移動手すり３は、無端状に形成されており、移動手すり運搬治具２に巻き掛けられる。
【００１５】
移動手すり運搬作業において、乗客コンベア１は、踏段が取り外されステップ軸７が露出した状態である。また、乗客コンベア１は、既設の移動手すりが取り外され、ガイドレール４が露出した状態である。ガイドレール４は、取り付けられた移動手すりを案内しつつ摺動走行させるためのレールである。
【００１６】
牽引装置５は、上階の乗降口に設置される。例えば牽引装置５はウインチである。牽引装置５は、移動手すり運搬治具２に接続したロープ６を巻き取ることにより、移動手すり運搬治具２を上階に向かって牽引する。牽引される移動手すり運搬治具２に巻き掛けられた新しい移動手すり３は、矢印Ａ方向に回転しながらステップ軸７の上を上階側へ前進するように運搬される。
【００１７】
（移動手すり運搬治具）
次に、図２と図３を参照して、この発明の実施の形態１における移動手すり運搬治具２について説明する。図２は、移動手すり運搬治具２の側面図である。図３は、移動手すり運搬治具２を図２のＢ方向から見た正面図である。
【００１８】
移動手すり運搬治具２は、乗客コンベア１の新しい移動手すり３を運搬するための治具である。移動手すり運搬治具２は、わたし棒２１、巻き掛け具２２、固定具２３を備える。
【００１９】
わたし棒２１は、乗客コンベア１の左右のガイドレール４に上方より接触可能である。わたし棒２１は、固定具２３に設けられた貫通孔である棒挿入孔２７に挿入された状態で、ガイドレール４上を摺動する。好ましくは、わたし棒２１は、ガイドレール４と接触する部分の摩擦が少なくなるように、棒挿入孔２７に回転自在に挿入された状態で、ガイドレール４上を回転摺動する。例えば、わたし棒２１は、円柱状の部材である。なお、わたし棒２１と固定具２３とは着脱可能である。
【００２０】
また、わたし棒２１は、両端部に保護部材２６（図３）を備える。例えば、保護部材２６は、ゴム、プラスチック等である。保護部材２６は、わたし棒２１の端部が接触することによる傷から乗客コンベア１を守る。
【００２１】
巻き掛け具２２は、巻き掛けられた新しい移動手すり３を回転可能に案内する。これにより新しい移動手すり３が引き摺られて傷がつくことを防止できる。具体的には、巻き掛け具２２は、巻き掛けられた新しい移動手すり３を円弧状に案内するように配置された複数の回転ローラ２４を備える。図２の一点鎖線３ａは、複数の回転ローラ２４により案内される新しい移動手すり３の円弧状の経路を示す。
【００２２】
好ましくは、複数の回転ローラ２４は、巻き掛け具２２に巻き掛けられた新しい移動手すり３の形状の曲率が、乗客コンベア１のガイドレール４の折り返し部４ａ（図１）の曲率以下となるように配置されている。これによれば、新しい移動手すり３がキンクすることを防止できる。
【００２３】
なお、複数の回転ローラ２４は、側板２５ａと側板２５ｂとの間に回転可能に取り付けられている。図２には、複数の回転ローラ２４として５つの回転ローラ２４が描かれているが、回転ローラ２４の数はこれに限定されるものではない。
【００２４】
固定具２３は、わたし棒２１の軸心と巻き掛け具２２の各部との距離が変わらないように、わたし棒２１と巻き掛け具２２とを固定する。例えば、各部は、複数の回転ローラ２４である。これによれば、わたし棒の軸心を回転軸として軸回転しても、わたし棒２１と巻き掛け具２２との相対位置は固定される。具体的には、巻き掛け具２２の側板２５ａおよび２５ｂは、複数の取付孔２８ａ、２８ｂ、２８ｃ、２８ｄを有する。固定具２３の下部は、これらのうち任意の２つの取付孔を用いて巻き掛け具２２を固定する。図２に示す例では、固定具２３は、取付孔２８ａおよび２８ｂに固着具（ねじ、ボルトとナット等）を取り付けて巻き掛け具２２を固定している。また、固定具２３の上部は、貫通した棒挿入孔２７を有し、棒挿入孔２７に挿入されたわたし棒２１を固定する。
【００２５】
次に、図４を参照して、回転ローラ２４に巻き掛けられた新しい移動手すり３の状態について説明する。
【００２６】
回転ローラ２４の幅は、断面がＣ字形状の新しい移動手すり３の開口部へ挿入可能に構成される。図４において、回転ローラ２４の幅は、新しい移動手すり３の開口部の距離Ｄよりも小さく構成されている。
【００２７】
また、回転ローラ２４の両側面２４ａ、２４ｂは、新しい移動手すり３の横方向の移動を制限する。図４において、側板２５ａと側板２５ｂとの距離Ｇは、新しい移動手すり３が横方向にがたついたとしても、新しい移動手すり３が接触しないように設定されている。具体的には、側板２５ａ、２５ｂと新しい移動手すり３との距離Ｆは、回転ローラ２４の側面２４ａ、２４ｂと新しい移動手すり３の開口部との距離Ｅよりも大きく設定されている。
【００２８】
また、複数の回転ローラ２４の周面２４ｃは、新しい移動手すり３の裏面に接触しうる。
【００２９】
（移動手すり運搬方法）
次に、図１〜図４を参照して、上述した移動手すり運搬治具２を用いた乗客コンベア１の移動手すり運搬方法について説明する。
【００３０】
この移動手すり運搬方法は、既設移動手すり取外工程、牽引装置設置工程、新移動手すり取付工程、治具取付工程、接続工程、牽引工程を備える。
【００３１】
まず、既設移動手すり取外し工程において、作業員は、既設の移動手すりを取り外し、ガイドレール４を露出させる。
【００３２】
次に、牽引装置設置工程において、作業員は、乗客コンベア１の乗降口に牽引装置５を設置する。具体的には、牽引装置５は乗客コンベア１の上階の乗降口に設置される。なお、牽引装置設置工程は、接続工程の前であれば、新移動手すり取付工程または治具取付工程の後に行ってもよい。
【００３３】
次に、新移動手すり取付工程において、作業員は、新しい移動手すり３を巻き掛け具２２に巻き掛ける。移動手すり運搬治具２に新しい移動手すり３をセットする手順は次の通りである。最初に、固定具２３の棒挿入孔２７からわたし棒２１を引き抜く。次に、巻き掛け具２２に新しい移動手すり３を巻き掛ける。最後に、棒挿入孔２７にわたし棒２１を挿入する。このようにして、新しい移動手すり３はセットされる。
【００３４】
次に、治具取付工程において、作業員は、新しい移動手すり３を巻き掛けた移動手すり運搬治具２をガイドレール４に取り付ける。具体的には、作業員は、わたし棒２１を乗客コンベア１の左右のガイドレール４の上に配置する。
【００３５】
次に、接続工程において、作業員は、牽引装置５と移動手すり運搬治具２とをロープ６で接続する。具体的には、ロープ６は、わたし棒２１又は固定具２３に接続される。
【００３６】
次に、牽引工程において、作業員は、牽引装置５により移動手すり運搬治具２を牽引する。牽引装置５は、移動手すり運搬治具２に接続したロープ６を巻き取る。それにより、わたし棒２１はガイドレール４に沿って牽引される。その結果、移動手すり運搬治具２は、上階に向かって牽引される。
【００３７】
このとき、図１に示す新しい移動手すり３の下部は、ステップ軸７との摩擦により動かない。そのため、図１に示す新しい移動手すり３の上部は、回転ローラ２４（図２）を反時計回りに回転させながら、矢印Ａ方向に移動する。その結果、新しい移動手すり３は、ステップ軸７の上を上階側へ前進するように回転移動しながら運搬される。
【００３８】
以上説明したように、本実施形態に係る移動手すり運搬治具および移動手すり運搬方法によれば、新しい移動手すり３は、上階側へ前進するように回転移動しながら運搬されるため、引き摺られて傷がつくことを防止できる。また、巻き掛け具２２に巻き掛けられた新しい移動手すり３の形状の曲率が、乗客コンベア１のガイドレール４の折り返し部４ａの曲率以下となるため、新しい移動手すり３がキンクすることを防止できる。このため、乗客コンベア１の新しい移動手すり３を傷つけることなく効率的に運搬することができる。
【００３９】
ところで、上述した実施の形態１の移動手すり運搬治具２においては、巻き掛け具２２は新しい移動用手すり３の巻き掛け角が１８０°となるように構成されているが、これに限定されるものではない。巻き掛け角が１８０°〜２４０°となるように構成してもよい。なお、移動手すり運搬治具２をガイドレール４に設置した状態で、巻き掛け具２２の下端は、ステップ軸７に接触しないように構成する必要がある。巻き掛け具２２を円形にすると大型化しステップ軸７に接触しやすくなるため、巻き掛け具２２は上述した程度の巻き掛け角に構成することが望ましい。なお、この点は以下の実施の形態でも同様である。
【００４０】
実施の形態２．
次に、図５〜図７を参照して本発明の実施の形態２について説明する。実施の形態１で説明したように、移動手すり運搬治具２のわたし棒２１と巻き掛け具２２との相対位置は固定して使用されるが、その位置関係は、エスカレーターの傾斜角度、手すりの材質および重量などに応じて変更できることが望ましい。そこで、実施の形態２では、移動手すり運搬治具２の他の使用状態について説明する。
【００４１】
図５は、この発明の実施の形態２における移動手すり運搬治具２の使用状態を説明するための図である。図６は、移動手すり運搬治具２の側面図である。図７は、移動手すり運搬治具２を図６のＣ方向から見た正面図である。
【００４２】
本実施形態における移動手すり運搬治具２は、固定具２３の取り付け位置が異なる点を除いて、上述した実施の形態１と同一構成であるため、相違点について説明し、他の説明については省略する。
【００４３】
巻き掛け具２２は、固定具２３を取り付ける位置を変更可能に構成されている。巻き掛け具２２に固定具２３を取り付ける位置を変更することで、わたし棒２１と巻き掛け具２２との相対位置を変更可能である。具体的には、実施の形態１で述べたように、巻き掛け具２２は、側板２５ａおよび２５ｂに複数の取付孔２８ａ、２８ｂ、２８ｃ、２８ｄを有する。固定具２３をいずれの取付孔に取り付けるかによって、わたし棒２１と巻き掛け具２２との相対位置は変更され、様々な仕様の乗客コンベアに対応可能となる。
【００４４】
実施の形態２における移動手すり運搬治具２は、図３の側板２５ａに取り付けられていた固定具２３が図６の側板２５ｂに取り付けられ、図３の側板２５ｂに取り付けられていた固定具２３が図６の側板２５ａに取り付けられて構成されている。固定具２３が取り付けられる取付孔は、２８ａと２８ｂであり実施の形態１と同じである。
【００４５】
このように構成された、実施の形態２における移動手すり運搬治具２は、図５のように配置され、実施の形態１と同様に用いられる。移動手すり運搬方法の説明についても同様であるため説明は省略する。
【００４６】
以上説明したように、わたし棒２１と巻き掛け具２２との位置関係を種々変更することにより、最適な位置関係で安全に移動手すりを運搬することができる。
【００４７】
以上、本発明の実施の形態について説明したが、本発明は、上記の実施の形態に限定されるものではなく、本発明の趣旨を逸脱しない範囲で種々変形して実施することができる。
【符号の説明】
【００４８】
１  乗客コンベア
２  移動手すり運搬治具
４  ガイドレール
４ａ  折り返し部
５  牽引装置
６  ロープ
７  ステップ軸
２１  わたし棒
２２  巻き掛け具
２３  固定具
２４  回転ローラ
２４ａ、２４ｂ  回転ローラの側面
２４ｃ  回転ローラの周面
２５ａ、２５ｂ  側板
２６  保護部材
２７  棒挿入孔
２８ａ〜２８ｄ  取付孔
【図１】
2020186093.tif 000003
【図２】
2020186093.tif 000004
【図３】
2020186093.tif 000005
【図４】
2020186093.tif 000006
【図５】
2020186093.tif 000007
【図６】
2020186093.tif 000008
【図７】
2020186093.tif 000009